(57)【特許請求の範囲】
【請求項１】
コラーゲンを単官能エポキシ化合物およびアルミニウム塩で処理してなる再生コラーゲン繊維。
【請求項２】
前記単官能エポキシ化合物が下記一般式（Ｉ）で表わされる化合物である請求の範囲第１項記載の再生コラーゲン繊維。
0004559680.tif 000005
（式中Ｒは、Ｒ１−、Ｒ２−Ｏ−ＣＨ２−またはＲ２−ＣＯＯ−ＣＨ２−で表される置換基を示し、前記置換基中のＲ１は炭素数２以上の炭化水素基またはＣＨ２Ｃｌであり、Ｒ２は炭素数４以上の炭化水素基を示す。）
【請求項３】
前記一般式（Ｉ）中のＲ１は炭素数２〜６の炭化水素基または−ＣＨ２Ｃｌであり、Ｒ２は炭素数４〜６の炭化水素基である請求の範囲第２項記載の再生コラーゲン繊維。
【請求項４】
前記コラーゲン中のメチオニン残基がスルホキシド化メチオニン残基またはスルホン化メチオニン残基である請求の範囲第１項、第２項または第３項記載の再生コラーゲン繊維。
【請求項５】
コラーゲンを単官能エポキシ化合物で処理した後、酸化アルミニウムに換算して２〜４０重量％のアルミニウム塩を含有させるように処理することを特徴とする請求の範囲第１項記載の再生コラーゲン繊維の製造方法。
【請求項６】
コラーゲンを酸化剤で処理した後に、単官能エポキシ化合物およびアルミニウム塩で処理することを特徴とする請求の範囲第５項記載の再生コラーゲン繊維の製造方法。
【請求項７】
前記酸化剤が過酸化水素である請求の範囲第６項記載の再生コラーゲン繊維の製造方法。
【請求項８】
請求の範囲第１項、第２項または第３項記載の再生コラーゲン繊維を２０℃〜１００℃の温水処理および６０℃〜２２０℃の乾熱処理にて熱セットすることを特徴とする再生コラーゲン繊維のセット方法。
【発明の詳細な説明】
技術分野
本発明は、セット性の改良された再生コラーゲン繊維に関する。さらに詳しくは、淡色で湿潤時の触感にすぐれ、しかも容易に所望の形状を付与でき、さらにはその形状を強固に保持でき、しかも熱処理時に発生する臭気の抑制された再生コラーゲン繊維およびその製造方法に関する。このような再生コラーゲン繊維は、たとえばカツラやヘアピースあるいはドールヘアなどの頭飾製品へのカールセット付与、または織布や不織布からなる繊維製品の形状付与（セット）などに好適に使用し得る。
背景技術
再生コラーゲン繊維を製造するには、一般に、動物の皮や骨を原料として、これにアルカリまたは酵素処理を施し、コラーゲンのテロペプチド部を分解除去して水に可溶なコラーゲンとし、これを紡糸する方法が採られている。したがって、得られた再生コラーゲン繊維は、やはり水に可溶であり、さらに、該再生コラーゲンが水分を含有する場合には、３０〜４０℃程度の温度で収縮し始めるなど耐水性が極めてわるいものであった。
そこで、再生コラーゲン繊維を淡色で耐水化するために、特開平４−５０３７０号公報、特開平６−１７３１６１号公報、特開平４−３０８２２１号公報に記載されているアルミニウム塩、ジルコニウム塩などの金属塩で処理する方法、特開平４−３５２８０４号公報に記載されているエポキシ化合物で処理する方法が提案されている。また、再生コラーゲンに形状を付与する方法としては、特開平４−３３３６６０号公報、特開平９−２５００８１号公報に記載されている温水中もしくは１価または２価の陽イオンの硫酸塩を含む水溶液で湿潤して加温処理する方法が知られている。しかしながら、アルミニウム塩、ジルコニウム塩などの金属塩での処理により耐水化させた再生コラーゲン繊維に前記方法で形状を付与した場合、形状は付与できるものの形状を保持する力（セット性）が極めて弱くその後の水洗（シャンプー水洗を含む）、乾燥を繰り返すことによりたちまち付与した形状がとれてしまいカツラやヘアピースあるいはドールヘアなどヘア素材へと使用することが困難であった。
また、ホルムアルデヒドを用いても淡色の繊維を得られるが、これも形状付与の観点からは満足できるものではなかった。さらに、特開平４−３５２８０４号公報に記載されているエポキシ化合物のうち、特に好ましいとされている多価アルコールのグリシジルエーテルを用いた場合、糸が脆く硬くなり強度の低下が激しく、植毛やミシン掛けなどの頭飾製造工程上での問題が発生する傾向にあった。さらに、これは形状付与の点からも満足できるものではなかった。
そこで本発明は、淡色で湿潤時の触感にすぐれ、しかも容易に所望の形状を付与でき、さらにはその形状を強固にセットし保持できる再生コラーゲン繊維を提供することを目的とする。
発明の開示
前記のような現状に鑑み、コラーゲンを単官能エポキシ化合物およびアルミニウム塩で処理するという２つの処理法を組み合わせることで、コラーゲン本来の淡色色調を保持し、水に濡れたときのコシが改善され、湿潤時の触感が良好な再生コラーゲン繊維を得られることを見出し、本発明を完成するに至った。
本発明は、コラーゲンを単官能エポキシ化合物およびアルミニウム塩で処理してなる再生コラーゲン繊維に関する。
また、本発明は、コラーゲンを単官能エポキシ化合物で処理した後、酸化アルミニウム（Ａｌ２Ｏ３）に換算して２〜４０重量％のアルミニウム塩を含有させるように処理することを特徴とする再生コラーゲン繊細の製造方法に関する。
さらに、本発明は、前記再生コラーゲン繊維を、２０〜１００℃の温水処理および６０℃〜２２０℃の乾熱処理にて熱セットすることを特徴とする再生コラーゲン繊維のセット方法に関する。
発明を実施するための最良の形態
本発明の再生コラーゲン繊維は、コラーゲンを単官能エポキシ化合物および金属アルミニウム塩で処理してなる再生コラーゲン繊維である。好ましくは、メチオニン残基を酸化した後に単官能エポキシ化合物および金属アルミニウム塩で処理してなる再生コラーゲン繊維である。また、この再生コラーゲン繊維中のメチオニン残基の一部もしくは全てがスルホキシド化メチオニン残基もしくはスルホン化スルホン化メチオニン残基として存在していてもよい。
本発明に用いるコラーゲンの原料は、床皮の部分を用いるのが好ましい。床皮は、たとえば牛などの動物を屠殺して得られるフレッシュな床皮や塩漬けした生皮より得られる。これら床皮などは、大部分が不溶性コラーゲン繊維からなるが、通常網状に付着している肉質部分を除去したり、腐敗・変質防止のために用いた塩分を除去したのちに用いられる。
この不溶性コラーゲン繊維には、グリセライド、リン脂質、遊離脂肪酸などの脂質、糖タンパク質、アルブミンなどのコラーゲン以外のタンパク質など、不純物が存在している。これらの不純物は、繊維化するにあたって紡糸安定性、光沢や強伸度などの品質、臭気などに多大な影響を及ぼす。したがって、たとえば石灰漬けにして不溶性コラーゲン繊維中の脂肪分を加水分解し、コラーゲン繊維を解きほぐした後、酸・アルカリ処理、酵素処理、溶剤処理などのような従来より一般に行われている皮革処理を施し、予めこれらの不純物を除去しておくことが好ましい。
前記のような処理の施された不溶性コラーゲンは、架橋しているペプチド部を切断するために、可溶化処理が施される。かかる可溶化処理の方法としては、一般に採用されている公知のアルカリ可溶化法や酵素可溶化法などを適用することができる。
前記アルカリ可溶化法を適用する場合には、たとえば塩酸などの酸で中和することが好ましい。なお、従来より知られているアルカリ可溶化法の改善された方法として、特公昭４６−１５０３３号公報に記載された方法を用いても良い。
前記酵素可溶化法は、分子量が均一な再生コラーゲンを得ることができるという利点を有するものであり、本発明において好適に採用しうる方法である。かかる酵素可溶化法としては、たとえば特公昭４３−２５８２９号公報や特公昭４３−２７５１３号公報などに記載された方法を採用することができる。さらに、前記アルカリ可溶化法および酵素可溶化法を併用しても良い。
このように可溶化処理を施したコラーゲンにｐＨの調整、塩析、水洗や溶剤処理などの操作をさらに施した場合には、品質などの優れた再生コラーゲンを得ることが可能なため、これらの処理を施すことが好ましい。
得られた可溶化コラーゲンは、たとえば１〜１５重量％、なかんずく２〜１０重量％程度の所定濃度の原液になるように塩酸、酢酸、乳酸などの酸でｐＨ２〜４．５に調整した酸性溶液を用いて溶解される。なお、得られたコラーゲン水溶液には必要に応じて減圧攪拌下で脱泡を施したり、水不溶分である細かいゴミを除去するために濾過を行ってもよい。得られる可溶化コラーゲン水溶液には、さらに必要に応じてたとえば機械的強度の向上、耐水・耐熱性の向上、光沢性の改良、紡糸性の改良、着色の防止、防腐などを目的として安定剤、水溶性高分子化合物などの添加剤が適量配合されてもよい。
可溶化コラーゲン水溶液を、たとえば紡糸ノズルやスリットを通して吐出し、無機塩水溶液に浸漬することにより再生コラーゲン繊維が形成される。無機塩水溶液としては、たとえば硫酸ナトリウム、塩化ナトリウム、硫酸アンモニウムなどの水溶性無機塩の水溶液が用いられ、通常これらの無機塩の濃度は１０〜４０重量％に調整される。無機塩水溶液のｐＨは、たとえばホウ酸ナトリウムや酢酸ナトリウムなどの金属塩や塩酸、ホウ酸、酢酸、水酸化ナトリウムなどを配合することにより、通常ｐＨ２〜１３、好ましくはｐＨ４〜１２となるように調整することが好ましい。ｐＨが２未満である場合および１３をこえる場合、コラーゲンのペプチド結合が加水分解を受けやすくなり、目的とする繊維が得られにくくなる傾向がある。また、無機塩水溶液の温度は特に限定されないが、通常３５℃以下であることが望ましい。温度が３５℃より高い場合、可溶性コラーゲンが変性したり、紡糸した繊維の強度が低下し、安定した糸の製造が困難となる。なお、温度の下限は特に限定されないが、通常無機塩の溶解度に応じて適宜調整することができる。
前記のようにして得られた可溶化コラーゲン水溶液には、さらに必要に応じてたとえば機械的強度の向上、耐水・耐熱性の向上、光沢性の改良、紡糸性の改良、着色の防止、防腐などを目的として、安定剤、水溶性高分子化合物などの添加剤が適量配合されてもよい。
本発明においては、前記再生コラーゲン繊維を、単官能エポキシ化合物あるいはその溶液に浸漬することで処理する。
ここで用いられる単官能エポキシ化合物の具体例としては、たとえば、酸化エチレン、酸化プロピレン、酸化ブチレン、酸化イソブチレン、酸化オクテン、酸化スチレン、酸化メチルスチレン、エピクロロヒドリン、エピブロモヒドリン、グリシドールなどのオレフィン酸化物類、グリシジルメチルエーテル、ブチルグリシジルエーテル、オクチルグリシジルエーテル、ノニルグリシジルエーテル、ウンデシルグリシジルエーテル、トリデシルグリシジルエーテル、ペンタデシルグリシジルエーテル、２−エチルヘキシルグリシジルエーテル、アリルグリシジルエーテル、フェニルグリシジルエーテル、クレジルグリシジルエーテル、ｔ−ブチルフェニルグリシジルエーテル、ジブロモフェニルグリシジルエーテル、ベンジルグリシジルエーテル、ポリエチレンオキシドグリシジルエーテルなどのグリシジルエーテル類、蟻酸グリシジル、酢酸グリシジル、アクリル酸グリシジル、メタクリル酸グリシジル、安息香酸グリシジルなどのグリシジルエステル類、グリシジルアミド類などが挙げられるが、本発明はかかる例示のみに限定されるものではない。
単官能エポキシ化合物のなかでも、再生コラーゲン繊維の吸水率が低下するため、下記一般式（Ｉ）で表される単官能エポキシ化合物を用いて処理することが好ましい。
0004559680.tif 000002
（式中Ｒは、Ｒ１−、Ｒ２−Ｏ−ＣＨ２−またはＲ２−ＣＯＯ−ＣＨ２−で表される置換基を示し、前記置換基中のＲ１は炭素数２以上の炭化水素基またはＣＨ２Ｃｌ、Ｒ２は炭素数４以上の炭化水素基を示す。）
前記一般式（Ｉ）で表される化合物の具体例としては、酸化ブチレン、酸化オクテン、酸化スチレン、酸化メチルスチレン、エピクロロヒドリン、ブチルグリシジルエーテル、オクチルグリシジルエーテル、ノニルグリシジルエーテル、ウンデシルグリシジルエーテル、トリデシルグリシジルエーテル、ペンタデシルグリシジルエーテル、２−エチルヘキシルグリシジルエーテル、フェニルグリシジルエーテル、クレジルグリシジルエーテル、ｔ−ブチルフェニルグリシジルエーテル、ベンジルグリシジルエーテル、安息香酸グリシジルなどが挙げられる。
さらに、前記一般式中のＲ１が炭素数２〜６の炭化水素基またはＣＨ２Ｃｌである酸化ブチレン、酸化オクテン、酸化スチレン、エピクロロヒドリンなどや、Ｒ２が炭素数４〜６の炭化水素基であるブチルグリシジルエーテル、フェニルグリシジルエーテル、安息香酸グリシジルなどの単官能エポキシ化合物は、反応性が高く、より短時間での処理が可能になることや、水中での処理が比較的容易になることなどから、特に好ましく用いられる。
使用する単官能エポキシ化合物の量は、アミノ酸分析法により測定した再生コラーゲン繊維中の単官能エポキシ化合物と反応可能なアミノ基の量に対し、０．１〜５００当量、好ましくは０．５〜１００当量、さらに好ましくは１〜５０当量である。単官能エポキシ化合物の量が０．１当量未満の場合、再生コラーゲン繊維の水に対する不溶化効果が充分でなく、逆に単官能エポキシ化合物の量が５００当量をこえる場合、不溶化効果は満足しうるものの、工業的な取扱い性や環境面で好ましくない傾向にある。
単官能エポキシ化合物はそのままあるいは各種溶剤に溶解して用いる。溶剤としては、水；メチルアルコール、エチルアルコール、イソプロパノールなどのアルコール類；テトラヒドロフラン、ジオキサンなどのエーテル類；ジクロロメタン、クロロホルム、四塩化炭素などのハロゲン系有機溶媒；ジメチルホルムアミド（ＤＭＦ）、ジメチルスルホキシド（ＤＭＳＯ）などの中性有機溶媒などが挙げられ、これらの混合溶媒を用いてもよい。溶剤として水を用いる場合、必要に応じて硫酸ナトリウム、塩化ナトリウム、硫酸アンモニウムなどの無機塩の水溶液を用いてもよい。通常これらの無機塩の濃度は１０〜４０重量％に調整される。また、水溶液のｐＨを、たとえば、ホウ酸ナトリウムや酢酸ナトリウムなどの金属塩や塩酸、ホウ酸、酢酸、水酸化ナトリウムなどを配合することにより、調整してもよい。この場合、好ましいｐＨは６以上、さらに好ましくはｐＨ８以上である。ｐＨが６未満の場合は単官能エポキシ化合物のエポキシ基とコラーゲンのアミノ基との反応が遅くなり、水に対する不溶化が不充分となる。また、かかるｐＨは時間とともに低下していく傾向にあるため、必要により緩衝剤を使用してもよい。
前記単官能エポキシ化合物による再生コラーゲン繊維の処理温度は、５０℃以下であることが好ましい。処理温度が５０℃をこえる場合、再生コラーゲン繊維が変性したり、得られる繊維の強度が低下し、安定的な糸の製造が困難になる。  また、触媒や反応助剤など、各種添加剤を共存させても良い。たとえば、触媒としてはアミン類やイミダゾール類などが挙げられる。具体的には、アミン類としてはトリエチルジアミン、テトラメチルグアニジン、トリエタノールアミン、Ｎ、Ｎ′−ジメチルピペラジン、ベンジルジメチルアミン、ジメチルアミノメチルフェノール、２，４，６−トリス（ジメチルアミノメチル）フェノールなどの第３級アミン類；ピペラジン、モルフォリンなどの第２級アミン類；テトラメチルアンモニウム塩、テトラエチルアンモニウム塩、ベンジルトリエチルアンモニウム塩などの第４級アンモニウム塩などが挙げられる。イミダゾール類としては２−メチルイミダゾール、２−エチルイミダゾール、２−イソプロピルイミダゾール、１−シアノエチル−２−メチルイミダゾール、１−シアノエチル−２−エチルイミダゾール、１−シアノエチル−２−イソプロピルイミダゾール、２−エチル−４−メチルイミダゾールなどが挙げられる。さらに、反応助剤としては、サリチル酸またはサリチル酸金属塩；チオシアン酸、チオシアン酸アンモニウムなどのチオシアン酸塩類；テトラメチルチウラムジサルファイド；チオユリアなどが挙げられる。
さらに、本発明においては、必要により、再生コラーゲン繊維に水洗を施す。水洗には、紡糸時に含有された無機塩を除去できる利点がある。
ついで、本発明においては、前記再生コラーゲン繊維をアルミニウム塩水溶液に浸漬して処理をおこなう。この処理により、湿潤時の再生コラーゲン繊維にコシが加わり、湿触感が改良され、カールセットなどの形状付与が良好になる。なお、従来より知られているアルミニウム塩処理の改善された方法として、特開平６−１７３１６１号公報に記載されている方法を採用してもよい。
処理終了後の繊維に含有されるアルミニウム塩が酸化アルミニウム（Ａｌ２Ｏ３）に換算して、２〜４０重量％、より好ましくは２〜２０重量％、さらに好ましくは５〜２０重量％となるように処理を行なう。２重量％未満では、湿触感が不良となり、カールセットなどの形状付与が弱くなる。また４０重量％をこえる場合には処理後の繊維が硬くなって風合いを損ねてしまう。
ここで用いるアルミニウム塩には特に制限はないが、たとえば、硫酸アルミニウム、塩化アルミニウム、塩基性塩化アルミニウムまたは塩基性硫酸アルミニウムなどがあげられる。ここで、塩基性塩化アルミニウム、塩基性硫酸アルミニウムは、次の式（ＩＩ）、式（ＩＩＩ）で表わされる。
Ａｌ（ＯＨ）ｎＣｌ３−ｎ              （ＩＩ）
Ａｌ２（ＯＨ）２ｎ（ＳＯ４）３−ｎ    （ＩＩＩ）
（式中、ｎは０．５〜２．５である）
これらのアルミニウム塩は単独でまたは２種以上混合して用いることができる。このアルミニウム塩水溶液のアルミニウム塩濃度としては、酸化アルミニウム（Ａｌ２Ｏ３）に換算して０．３〜５重量％であることが好ましい。０．３重量％未満では再生コラーゲン繊維中のアルミニウム含量が少なく、湿触感が不良となり、カールセットなどの形状付与が弱くなる。また５重量％をこえる場合には処理後の繊維が硬くなって風合いを損ねてしまう。
アルミニウム塩水溶液のｐＨは、たとえば塩酸、硫酸、酢酸、水酸化ナトリウム、炭酸ナトリウムなどを用いて通常２．５〜６．５、好ましくは２．５〜５．５に調整する。このｐＨは、２．５未満ではコラーゲンの構造を壊して変性させる傾向があり、また６．５をこえる場合にはアルミニウム塩の沈殿を生じるようになり、繊維に浸透しにくくなる。このｐＨは、たとえば、水酸化ナトリウム、炭酸ナトリウムなどを添加することにより調整でき、最初は２．２〜５．０に調整してアルミニウム塩水溶液を再生コラーゲン繊維内に浸透させ、その後に、３．５〜６．５に調整して処理を完結させることが好ましい。塩基性の高いアルミニウム塩を用いる場合には、２．５〜６．５の最初のｐＨ調整だけでもかまわない。また、このアルミニウム塩水溶液の液温は特に限定されないが、５０℃以下が好ましい。この液温が５０℃をこえる場合には、再生コラーゲン繊維が変性する傾向がある。
アルミニウム塩水溶液に再生コラーゲン繊維を浸透する時間は、１０分間以上、好ましくは１〜２５時間である。浸漬時間が、１０分間未満ではアルミニウム塩の反応が進みにくく、再生コラーゲン繊維の湿触感改善が不充分となる。また、浸漬時間の上限には特に制限はないが、２５時間以内でアルミニウム塩の反応は充分に進行し、湿触感も良好となる。
なお、アルミニウム塩が再生コラーゲン繊維中に急激に吸収されて濃度むらを生じないようにするため、塩化ナトリウム、硫酸ナトリウム、塩化カリウムなどの無機塩を適宜前記アルミニウム塩の水溶液に１〜２０重量％の濃度となるように添加しても良い。さらに、アルミニウム塩の水中での安定性を良好にするため、蟻酸ナトリウムやクエン酸ナトリウムなどの有機塩を適宜前記アルミニウム塩の水溶液に０．１〜５重量％、好ましくは０．５〜２重量％の濃度となるように添加しても良い。
このようにアルミニウム塩で処理された再生コラーゲン繊維は、ついで水洗、オイリング、乾燥を行なう。水洗は、たとえば、１０分間〜４時間流水水洗することにより行なうことができる。オイリングに用いる油剤としては、たとえば、アミノ変性シリコーン、エポキシ変性シリコーン、ポリエーテル変性シリコーンなどのエマルジョンおよびプルロニック型ポリエーテル系静電防止剤からなる油剤などを用いることができる。乾燥温度は、好ましくは１００℃以下、さらに好ましくは７５℃以下、乾燥時の荷重は、１ｄｔｅｘに対して０．０１〜０．２５ｇ重、好ましくは０．０２〜０．１５ｇ重の重力下で行なうことが好ましい。
ここで、水洗を施すのは、塩による油剤の析出を防止したり、乾燥機内で乾燥時に再生コラーゲン繊維から塩が析出し、かかる塩によって再生コラーゲン繊維に切れが発生したり、生成した塩が乾燥機内で飛散し、乾燥機内の熱交換器に付着して伝熱係数が低下するのを防ぐためである。また、オイリングを施した場合には、乾燥時における繊維の膠着防止や表面性の改善に効果がある。
ところで、単官能エポキシ化合物で処理を行った繊維は、乾燥工程などで熱を加えると臭気が発生し、特にヘア素材としてドライヤーやヘアアイロンなどでより高温に曝された時にこの臭気が激しくなるという問題が発生する。この臭気の発生原因は、単官能エポキシ化合物がメチオニン残基中の硫黄原子と反応し、これにより不安定になったメチオニン残基が乾燥工程やその他の加熱処理時に熱分解して発生する含硫黄化合物にある。この臭気の発生は、再生コラーゲン繊維として、コラーゲン中のメチオニン残基を酸化し、たとえばスルホキシド化メチオニン残基もしくはスルホン化メチオニン残基へと変化させた再生コラーゲン繊維を単官能エポキシ化合物との反応に用いることにより抑制できる。
特に、本発明のように、単官能エポキシ化合物とアルミニウム塩などの金属塩を併用した場合、これら金属塩が熱分解の触媒となり臭気の発生が激しくなることもある。このような場合に、メチオニン残基を酸化し、たとえばスルホキシド化メチオニン残基もしくはスルホン化メチオニン残基へと変化させた再生コラーゲン繊維を単官能エポキシ化合物との反応に用いることは特に効果的である。
コラーゲン中のメチオニン残基を酸化する方法としては、コラーゲンを酸化剤で処理する方法がある。酸化剤による処理は、単官能エポキシ化合物で処理する以前であれば、いずれの段階で行なってもよい。床皮や紡糸後の再生コラーゲン繊維のような固形物を処理する場合には、これらを酸化剤あるいはその溶液に浸漬することで処理することができる。また、可溶化コラーゲン水溶液を処理する場合は、このコラーゲン水溶液に酸化剤あるいはその溶液を添加し、充分に混合することで処理することができる。
酸化剤としては、過酢酸、過安息香酸、過酸化ベンゾイル、過フタル酸、ｍ−クロル過安息香酸、ｔ−ブチルヒドロペルオキシド、過ヨウ素酸、過ヨウ素酸ナトリウム、過酸化水素などの過酸化物、二酸化窒素、硝酸、四酸化二窒素、ピリジン−Ｎ−オキシドなどの窒素酸化物、過マンガン酸カリウム、無水クロム酸、重クロム酸ナトリウム、二酸化マンガンなどの金属酸化物、塩素、臭素、ヨウ素などのハロゲン、Ｎ−ブロモスクシイミド、Ｎ−クロロスクシイミド、次亜塩素酸ナトリウムなどのハロゲン化剤などが挙げられる。中でも、過酸化水素は、再生コラーゲン繊維中に副生成物が残存せず、取り扱いも容易であるために好適に用いられる。
酸化剤はそのままあるいは各種溶剤に溶解して用いる。溶剤としては、水；メチルアルコール、エチルアルコール、イソプロパノールなどのアルコール類；テトラヒドロフラン、ジオキサンなどのエーテル類；ジクロロメタン、クロロホルム、四塩化炭素などのハロゲン系有機溶媒；ＤＭＦ、ＤＭＳＯなどの中性有機溶媒などが挙げられるが、これらの混合溶媒を用いてもよい。溶剤として水を用いる場合、必要に応じて硫酸ナトリウム、塩化ナトリウム、硫酸アンモニウムなどの無機塩の水溶液を用いてもよく、通常これらの無機塩の濃度は１０〜４０重量％に調整される。
酸化剤の使用量としては、使用した酸化剤がすべて反応に寄与することが工業的には最も望ましい。この場合の酸化剤の使用量は、再生コラーゲン繊維中のメチオニン残基（アミノ酸分析の結果、たとえば牛の皮由来の再生コラーゲン繊維中のメチオニン残基は、コラーゲン構成アミノ酸１０００残基あたり６残基である）に対して１．０当量となる。しかしながら、実際には反応に寄与しない酸化剤も存在するため、１．０当量以上を用いる必要が生じる。
床皮や紡糸後の再生コラーゲン繊維のような固形物を酸化剤溶液中に浸漬して処理する場合、床皮や再生コラーゲン繊維が完全に浸漬する量の酸化剤溶液が必要となる。この時に使用する酸化剤の量は、メチオニン残基に対して１．０当量以上、好ましくは５．０当量以上、さらに好ましくは、１０．０当量以上である。酸化剤溶液中の酸化剤の濃度は、０．０１重量％以上、好ましくは０．１重量％以上、さらに好ましくは０．５重量％以上、最も好ましくは０．８重量％以上である。酸化剤の濃度が０．０１重量％未満の場合、反応点が少なくなるためコラーゲンのメチオニン残基との反応が進行し難く、また、酸化剤の量が１．０当量未満の場合、再生コラーゲン繊維の臭気に対する抑止効果が充分ではない。処理温度は、通常３５℃以下であることが望ましい。また、処理時間は、通常５分以上であり、再生コラーゲン繊維を処理する場合は、１０分間程度で臭気抑制の効果が発現される。一方、酸化剤が内部まで浸入しにくい床皮の場合は、１晩程度酸化剤溶液に浸漬した状態で保持して充分に反応を進行させる。
可溶化コラーゲン水溶液を処理する場合、添加する酸化剤の量は、１．０当量以上、好ましくは、５．０当量以上、さらに好ましくは、１０．０当量以上である。コラーゲン水溶液中の酸化剤の濃度は、０．０１重量％以上、好ましくは０．０５重量％以上、さらに好ましくは０．１重量％以上、最も好ましくは０．２重量％以上である。酸化剤の濃度が０．０１重量％未満の場合、反応点が少なくなるためコラーゲンのメチオニン残基との反応が進行し難く、また、１．０当量未満の場合、再生コラーゲン繊維の臭気に対する抑止効果が充分ではない。前記処理も、３５℃以下で行なうことが望ましく、酸化剤の添加後、可溶化コラーゲン水溶液をニーダーなどを用いて３０分間以上充分に混合して酸化剤とコラーゲンを接触させる。
本発明の再生コラーゲン繊維は、たとえば、２０〜１００℃の温水処理および６０〜２２０℃の乾熱処理にて熱セットすることにより、目的とするカールの付与や、その他の形状を強固にセットし保持することができる。この形状付与の機構の詳細は不明であるが、温水処理により、再生コラーゲン繊維内部の水素結合が切断され、その後の乾熱処理により所望の形状に合わせた水素結合の再結合を行ない、これにより強固な形状を付与できると考えている。また、強固な形状付与には処理温度条件が極めて重要である。
温水処理とは、水分の存在下で行なう熱処理をいい、所定の温度に調節された水中に浸漬したり、一度水に浸漬して充分に水を含ませた繊維をビニール袋などに入れて密封した後に所定温度に調節した空気恒温槽に入れるなどしてもよい。
具体的には、あらかじめ再生コラーゲン繊維を所望の形状（スパイラル形状など）に固定し、水分の存在下で該再生コラーゲン繊維の温度を２０〜１００℃となるように調節して保持できるような処理が好ましい。繊維の温度は、繊維束の内部に熱電対を差し込み測定する。
なお、再生コラーゲン繊維を水分の存在下で処理する時の再生コラーゲン繊維の表面に存在させる水分量を決定することはきわめて困難であるが、該再生コラーゲン繊維が均一に処理されるようにするために、ほぼ均一にその表面に水分が存在するように調整することが好ましい。
また、この水分の存在下での処理は、再生コラーゲン繊維の温度があまりにも低い場合には、再生コラーゲン繊維に所望の形状を付与させるのが困難となり、また、あまりにも高い場合には、該再生コラーゲン繊維が変質するおそれがある。通常２０℃〜１００℃、好ましくは５０〜１００℃、さらに好ましくは７０〜１００℃、最も好ましくは８０〜９０℃の範囲で処理するのが良い。
温水処理の処理時間は、再生コラーゲン繊維を処理する雰囲気や処理温度などによって適宜調整することが必要である。通常５分間以上、好ましくは１５分間以上で処理するのが良い。
つぎに乾熱処理とは、熱風対流式乾燥機の中に繊維束を入れたり、ドライヤーなどの熱風を当てることで加熱処理することを意味し、公知のあらゆる方法を制限なく用いることができる。具体的には、温水処理の後、形状を固定したまま６０〜２２０℃の雰囲気温度条件下で乾燥を行なうのが好ましい。
この乾燥温度が６０℃未満では、再生コラーゲン繊維に所望の形状を付与させるのが困難となり、逆に２２０℃をこえると、再生コラーゲン繊維が変質、着色するおそれがある。通常６０〜２２０℃、好ましくは９０〜１６０℃さらに好ましくは１００〜１３０℃、最も好ましくは、１１０〜１２０℃で処理するのが良い。
前記乾熱処理の処理時間は、乾燥温度、乾燥する繊維量などにより、適宜調整することが必要である。通常は５〜１２０分間、好ましくは１０〜６０分間、さらに好ましくは１５〜３０分間で処理するのが良い。
かくして処理を施すことにより、再生コラーゲン繊維をセットし強固に形状が保持できる。
なお、前記再生コラーゲン繊維をあらかじめ所望の形状に固定する方法としては、たとえば再生コラーゲン繊維をパイプや棒状物などに巻きつける方法、２点またはそれ以上の支点間に再生コラーゲン繊維を緊張して張る方法、板状物の間に再生コラーゲン繊維をはさむ方法などがあげられるが、目的とする形状が固定され、水分が再生コラーゲン繊維に充分に付与され、６０℃以上の温度で乾燥できるのであれば、他の方法によってもよい。
本発明の再生コラーゲン繊細の用途としては、淡色で耐水性に優れているので、頭髪用や毛布用繊維、手術糸、ガットなどをはじめ、不織布、紙などに用いられる繊維として好適に使用できる。
さらに、本発明の再生コラーゲン繊維は、淡色で湿潤時の触感が良好であるのみならず、容易に所望の形状を付与でき、さらにはその形状を強固にセットし保持できることから、たとえば、カツラやヘアピースあるいはドールヘアなとの頭飾製品へのカールセット付与、または織布や不織布からなる繊維製品の形状付与（セット）などに好適に使用しえる。
つぎに本発明を実施例に基づいて更に詳細に説明するが、本発明はかかる実施例のみに限定されるものではない。
実施例１
牛の床皮を原料とし、アルカリで可溶化した皮片１２００ｇ（コラーゲン分１８０ｇ）を乳酸水溶液で溶解し、ｐＨ３．５、コラーゲン濃度６重量％に調整した原液を作製した。原液を減圧下で撹拌脱泡機（（株）ダルトン製、８ＤＭＶ型）により撹拌脱泡処理し、ピストン式紡糸原液タンクに移送し、さらに減圧下で静置し、脱泡を行なった。かかる原液をピストンで押し出した後、ギアポンプ定量送液し、孔径１０μｍの焼結フィルターで濾過後、孔径０．３０ｍｍ、孔長０．５ｍｍ、孔数３００の紡糸ノズルを通し、硫酸ナトリウム２０重量％を含有してなる２５℃の凝固浴（ホウ酸および水酸化ナトリウムでｐＨ１１に調整）へ紡出速度５ｍ／分で吐出した。
つぎに、得られた再生コラーゲン繊維を、エピクロロヒドリン１．７重量％、２，４，６−トリス（ジメチルアミノメチル）フェノール０．９重量％、サリチル酸０．０９重量％、および硫酸ナトリウム１３重量％を含有した水溶液１６．６ｋｇに２５℃で２４時間浸漬した。添加したエピクロロヒドリンは、コラーゲン中のアミノ基の量に対し４２．６当量であった。
１時間流水水洗後、塩基性塩化アルミニウム（日本精化（株）製、ベルコタンＡＣ−Ｐ）１０重量％および塩化ナトリウム５重量％を含有した水溶液１６．６ｋｇに２５℃で１２時間浸漬した。その後、得られた繊維を２時間流水水洗した。
ついで、作製した繊維の一部をアミノ変性シリコーンのエマルジョンおよびプルロニック型ポリエーテル系静電防止剤からなる油剤を満たした浴槽に浸漬して油剤を付着させた。５０℃に設定した熱風対流式乾燥機（タバイエスペック（株）製、ＰＶ−２２１を使用）内部で繊維束の一方の端を固定し、他方の端に繊維１本に対して３．６ｇの重りを吊り下げ２時間緊張下で乾燥させ、その後測定を実施した。
実施例２
単官能エポキシ化合物をフェニルグリシジルエーテルに変更したほかは、実施例１と同様にして実験を行なった。
実施例３
塩基性塩化アルミニウムを５重量％に変更したほかは、実施例１と同様にして実験を行なった。
実施例４
塩基性塩化アルミニウムを５重量％に変更したほかは、実施例２と同様にして実験を行なった。
実施例５
アルミニウム塩による処理を、塩基性塩化アルミニウム５重量％および塩化ナトリウム６重量％さらに蟻酸ナトリウム１％を含有した水溶液１６．６ｋｇに４℃で１２時間浸漬することにより行なったほかは、実施例１と同様にして実験を行なった。
実施例６
実施例１と同様の方法で得られた再生コラーゲン繊維を、エピクロロヒドリン１．７重量％、２，４，６−トリス（ジメチルアミノメチル）フェノール０．０９重量％、サリチル酸０．００９重量％、および硫酸ナトリウム１３重量％を含有した水溶液１６．５ｋｇに２５℃で２４時間浸漬した。添加したエピクロロヒドリンは、コラーゲン中のアミノ基の量に対し４２．１当量であった。
１時間流水水洗後、塩基性塩化アルミニウム６重量％および塩化ナトリウム５重量％を含有した水溶液１６．５ｋｇに３０℃で１２時間浸漬した。その後、得られた繊維を２時間流水水洗した。
ついで、作製した繊維の一部をアミノ変性シリコーンのエマルジョンおよびプルロニック型ポリエーテル系静電防止剤からなる油剤を満たした浴槽に浸漬して油剤を付着させた。５０℃に設定した熱風対流式乾燥機内部で繊維束の一方の端を固定し、他方の端に繊維１本に対して３．６ｇの重りを吊り下げ２時間緊張下で乾燥させ、その後測定を実施した。
実施例７
脱泡処理する前の原液に、１０重量％に希釈した過酸化水素水溶液１１０ｇ（過酸化水素がメチオニン残基に対して３０当量となる）を投入して、ニーダー（（株）入江商会製、ＰＮＶ−５型。）で３０分間撹拌した後、１晩静置したほかは、実施例６と同様にして実験を行なった。
実施例８
アルミニウム塩による処理を、塩基性塩化アルミニウム５重量％および塩化ナトリウム６重量％さらに蟻酸ナトリウム１％を含有した水溶液１６．５ｋｇに４℃で１５時間浸漬することにより行なったほかは、実施例７と同様にして実験を行なった。
実施例９
単官能エポキシ化合物をフェニルグリシジルエーテルに変更したほかは、実施例７と同様にして実験を行なった。
実施例１０
塩基性塩化アルミニウム水溶液（実施例８と同処方の物）への浸漬時間を１０分間に変更したほかは、実施例８と同様にして実験を行なった。
実施例１１
アルミニウム塩による処理を、硫酸アルミニウム（ナカライテスク（株）製、硫酸アルミニウム１３〜１４水（結晶））５重量％、クエン酸三ナトリウム二水和物（ナカライテスク（株）製）１重量％、および水酸化ナトリウム（ナカライテスク（株）製）１．３重量％を含有した水溶液１６．５ｋｇに３０℃で１５時間浸漬して行なったほかは、実施例７と同様にして実験を行なった。
実施例１２
硫酸アルミニウム水溶液（実施例１１と同処方の物）への浸漬時間を１０分間に変更したほかは、実施例１１と同様にして実験を行なった。
実施例１３
酸化処理を、過酸化水素２．０重量％を含有する水溶液１８３６ｇ（過酸化水素がメチオニン残基に対して１００当量となる）に浸漬し１晩静置して行なったほかは、実施例７と同様にして実験を行なった。
実施例１４
紡糸後に、過酸化水素１．０重量％、硫酸ナトリウム１３重量％を含有した水溶液１６．５ｋｇに得られた再生コラーゲン繊維を２５℃で１時間浸漬したほかは、実施例６と同様にして実験を行なった。
比較例１
エピクロルヒドリンによる処理に変えて、硫酸ナトリウム１５重量％およびホルムアルデヒド０．５重量％を含む２５℃の水溶液（ホウ酸および水酸化ナトリウムでｐＨを９に調整）へ再生コラーゲン繊維を１５分間浸漬して不溶化する処理を行なったほかは、実施例８と同様にして実験を行なった。
比較例２
アルミニウム塩による処理を行なわなかったほかは、実施例７と同様にして実験を行なった。
前記により得られた再生コラーゲン繊維の繊度、含有アルミニウム量、ヘアアイロン耐熱性の測定、再生コラーゲン繊維へのカール形状付与とカール特性値測定、および臭気発生の有無確認および気相中に含まれるガス成分分析は以下の方法により調べた。
（繊度）
オートバイブロ式繊度測定器Ｄｅｎｉｅｒ  Ｃｏｍｐｕｔｅｒ  ＤＣ−７７Ａ（サーチ（株）製）を用いて温度２０±２℃、相対湿度６５±２％の雰囲気中で繊度を測定した。
（アルミニウム含有量）
再生コラーゲン繊維をデシケーターで乾燥させた後、この繊維０．１ｇを硝酸５ｍｌと塩酸１５ｍｌを混ぜた液に入れて加熱・溶解させた。冷却後、この溶液を水で５０倍に希釈し、希釈した水溶液中のアルミニウム含有量を日立製作所（株）製原子吸光測定装置（Ｚ−５３００型）を用いて測定した。なお、この方法で測定されるアルミニウム含有量は、アルミニウム金属単独の含有量であり、酸化アルミニウム（Ａｌ２Ｏ３）の含有量は、この値を１．８９倍して算出した。（ヘアアイロン耐熱性）
温度２０±２℃、相対湿度６５±２％の雰囲気中で以下の操作を行なった。
繊維をよく開繊した後、２２，０００ｄｔｅｘ、長さ２５０ｍｍの束にする。これに各種温度に調整したヘアアイロン（Ｐｅｒｍｉｎｇ  Ｉｒｏｎ、八光工業（株）製）を軽くあて、上面、下面１回ずつ素早く（２秒間／スライド１回）スライドさせて繊維表面の水分を蒸発させた後、アイロンで繊維束を挟み、束の根元から先へと５秒間かけてスライドさせた。この操作の後に繊維束の収縮率、および繊維先端の縮れ状態を調べた。収縮率は、アイロン処理前の繊維束の長さをＬ、アイロン処理後の繊維束の長さをＬｏ（アイロン処理時に繊維束にうねりが生じた場合はこれを伸ばした時の長さを測定する）とし、次の式（１）から求めた。
収縮率＝［（Ｌ−Ｌｏ）／Ｌ］×１００      （１）
ヘアアイロン耐熱性は、ヘアアイロン処理時の収縮率が５％以下であり、さらに繊維の縮れが発生しないアイロンの最高温度をヘアアイロン耐熱温度として記載した。また、ヘアアイロン温度は、１０℃刻みとして設定し、各温度の測定毎に繊維束はヘアアイロンをあてていない新しい繊維束へと変更して測定を行った。
（カール形状付与とカール特性値測定法）
カール形状付与とカール特性値測定を以下のように行なった。
（１）よく開繊して１４万５０００ｄｔｅｘに調整した繊維束（６．５ｇ／４５ｃｍ）を２つ折りにして糸でくくって束ね、くくり目より試長２０ｃｍのところで繊維束を切り落として繊維長をそろえた。
（２）この繊維束を８分割して、それぞれ外径１２ｍｍのアルミ製パイプに巻き付け、繊維束がずれないようにしっかりと両端を輪ゴムで固定した。
（３）巻き終わったロッドを８５℃に調節した温水に１５分間入れて繊維を湿潤させた。
（４）つぎに、ロッドを温水中から引き上げ、１１５℃に調整した熱風対流式乾燥機（タバイエスペック（株）製、ＰＶ−２２１）に１５分間入れて乾燥させた。
（５）ついで、前記熱風対流式乾燥機からロットを取り出して約１５分間室温で冷やした後、繊維束をロッドから外した。
（６）繊維束をプレーンシャンプーとして４０℃の温湯中２０回振り洗いを行ない、取り出してタオルで表面付着水を拭き取り、軽く振って脱水した。これをスパイラル状態で吊り下げ、無荷重でくくり目からカール先端迄の距離（Ｃｐｃｍ）、および引っ張ってカールを伸ばした状態（Ｌｐｃｍ）をそれぞれ測定した。ついでこれを５０℃の熱風対流式乾燥機に入れて乾燥させた。
（７）乾燥した繊維束は、シャンプー剤（（株）資生堂製、スーパーマイルドシャンプー  フローラルフルーティー）０．２％に調整した４０℃の温水中で２０回のコーミング操作を行ないながらシャンプーした。４０℃の温湯流水下で軽く揉み洗い濯ぎを行なって、前記（６）と同様の脱水操作を済ませた後、未乾燥のままスパイラル状態で吊り下げ、無荷重でくくり目からカール先端迄の距離（Ｃｓｃｍ）、および引っ張ってカールを伸ばした状態（Ｌｓｃｍ）をそれぞれ測定した。その後、再度５０℃の熱風対流式乾燥機に入れて乾燥させた。
（８）カールの耐シャンプー（繰り返しシャンプー回数によるカール形成率）は、前記（７）の操作を繰り返して評価した。
（９）評価のためのカール特性値は、下記式（２）（３）（４）に従って算出した。
（プレーンシャンプー直後のカール形成率（Ｐｓ））
Ｐｓ＝  （２０−Ｃｐ）×１００／Ｌｐ  （％）            （２）
（シャンプー直後のカール形成率（Ｓｃ））
Ｓｃ＝（２０−Ｃｓ）×１００／Ｌｓ  （％）              （３）
（シャンプー直後のカール保持率（Ｓｓ））
Ｓｓ＝（Ｌｓ−Ｃｓ）×１００／（Ｌｓ−Ｃｐ）（％）      （４）
表１、表２には代表値として、プレーンシャンプー後のカール形成率、シャンプー５回直後のカール形成率、シャンプー５回直後のカール保持率を記載した。（臭気発生の確認）
再生コラーゲン繊維へのドライヤーなどの加熱処理を想定して、１００℃の熱風対流式乾燥機に繊維を入れて１０分間熱処理を行ない、この臭いを嗅いで含硫黄化合物独特の臭気発生の有無を判断した。
（気相中に含まれるガス成分分析）
１００℃で熱処理を行なった繊維試料０．２ｇを２０ｍｌのバイアル瓶に入れ、再度、６０℃で１０分間加熱後、気相部を島津製ガスクロマトグラフ質量分析計ＱＰ−５０５０でカラム温度を４０℃から２００℃まで１０℃／分の昇温速度で２００℃から２８０℃までは２０℃／分の昇温速度で昇温しながら検出されるイオン量の測定を行なった。
0004559680.tif 000003
0004559680.tif 000004
表１、表２の結果より、再生コラーゲン繊維を単官能エポキシ化合物および金属アルミニウム塩で処理した場合には淡色かつ湿潤時の触感にすぐれ、さらには水分の存在下で再生コラーゲン繊維の温度を２０〜１００℃となるように保持した後に６０℃〜２２０℃の温度で乾燥することにより任意の形状を強固に付与できる繊維が得られることがわかる。また、単官能エポキシ化合物処理前にコラーゲンを酸化剤で処理を行なうことにより、加熱時にも含硫黄化合物独特の臭気を発生しない繊維を得ることができた。
ガス成分分析の結果を図１および図２に示す。
図１は実施例６で得られた繊維から発生するガスの分析結果であるが、この測定では、４つのピークが検出された。この４つのピークについて質量分析による解析を行った結果、ピーク１はメチルメルカプタン、ピーク２は硫化ジメチル、ピーク３はジメチルジサルファイド、ピーク４は３−（メチルチオ）−プロピオンアルデヒドであった。
図２では、実施例７で得られた繊維から発生するガスの分析結果であるが、この測定では、何もピークが検出されなかった。
以上の結果より、コラーゲンを酸化剤で処理した後、単官能エポキシ化合物とコラーゲンを反応させる方法により得られた再生コラーゲン繊維は、含硫黄化合物独特の臭気の発生を抑止できることが判る。
産業上の利用可能性
本発明の再生コラーゲン繊維は、淡色で湿潤時の触感が良好である。さらに、コラーゲン中のメチオニン残基を酸化剤で処理した後に単官能エポキシ化合物と反応させることにより、熱処理時に発生する含硫黄化合物独特の臭気の発生を抑制することができる。
しかも容易に所望の形状を付与でき、さらにはその形状を強固にセットし保持でき、カツラやヘアピースあるいはドールヘアなどの頭飾製品へのカールセット付与、または織布や不織布からなる繊維製品の形状付与（セット）などに好適に使用し得る優れたものである。
【図面の簡単な説明】
図１は、実施例６で得られた再生コラーゲン繊維から発生するガスを、ガスクロマトグラフ質量分析計で測定して得られたチャートである。
図２は、実施例７で得られた再生コラーゲン繊維から発生するガスを、ガスクロマトグラフ質量分析計で測定して得られたチャートである。
【図１】
0004559680.tif 000006
【図２】
0004559680.tif 000007